(57)【要約】【課題】２戸のハウスを二階建にする際に、それぞれ既存の吊上げロープ係止部材（４つある）と接地プレート（４つある）とを、上下のハウスを連結するための連結部材に兼用することで、当該各部材を有効利用（部材点数を削減）できるようにする。【解決手段】ハウス本体１０の下面部四隅に接地台となるベースプレート４を取付けている一方、ハウス本体１０の上面部四隅に吊上げロープの係止部となるトッププレート５を取付け、各ベースプレート４と各トッププレート５に、同形の２戸のハウス１，１を上下に積み重ねたときに両プレート４，５にボルト６を挿通させるためのボルト挿通穴４１，５１を設けていることにより、両プレート４，５を本来の機能のほかに上下ハウスの連結用に利用できるようにしている。【選択図】  図３
2012007350.tif 000002
【特許請求の範囲】
【請求項１】
ハウス本体（１０）の下面部四隅付近にそれぞれ接地台となるベースプレート（４，４・・）を取付けている一方、上記ハウス本体（１０）の上面部四隅付近にそれぞれ吊上げロープの係止部となるトッププレート（５，５・・）を取付けており、
上記各ベースプレート（４，４・・）と上記各トッププレート（５，５・・）とは、同形の２戸のハウス（１，１）を上下に積み重ねた状態で下部側のハウス（１）の各トッププレート（５，５・・）と上部側のハウス（１）の各ベースプレート（４，４・・）とがそれぞれ重合するように配置されているとともに、
上記各ベースプレート（４，４・・）と上記各トッププレート（５，５・・）には、両プレート（４，５）が重合した状態で相互に連通するボルト挿通穴（４１，５１）をそれぞれ設けている、
ことを特徴とするユニットハウス。
【発明の詳細な説明】
【技術分野】
【０００１】
本願発明は、予め工場で組立てられた完成品状態（又はほぼ完成品状態）のユニットハウスに関するものである。
【背景技術】
【０００２】
この種のユニットハウスは、例えば事務所、店舗、別棟の部屋、架設住宅等の比較的小型のハウスとして多用されている。そして、このユニットハウスは、予め工場で組立てた状態（完成品又はほぼ完成品状態）でトラックにより設置現場まで輸送し、そこでトラックからクレーンで吊り降ろして設置される。尚、以下の説明では、ユニットハウスを単にハウスと表現することがある。
【０００３】
完成品状態（又はほぼ完成品状態）で設置されるユニットハウス（ハウス）は、トラックで輸送される関係で、１戸当たりの大きさが比較的小型に制限されている。尚、ハウスとしては、大きいものでも間口（又は奥行）が２.３ｍ、奥行（又は間口）が５〜６ｍ、高さが２.７ｍ程度である。そして、設置現場に大きな居住スペース（多人数収容スペース）が必要な場合は、複数のハウスを平面的に並置したり上下に積み重ねて（二階建にして）、必要な居住スペースを確保している。尚、設置現場に複数のハウスを設置する場合に、平面的に並置すると広い敷地面積が必要になるが、上下に積み重ねる（二階建にする）と敷地面積が狭くて済む。
【０００４】
そして、２戸のハウスを二階建にするには、まず下部側のハウスを地面上に設置し、その上に上部側のハウスをクレーン等で吊り上げて積み重ね、下部側ハウスの上部と上部側ハウスの下部とを複数個所（少なくとも四隅）で連結することで完成させる。２戸のハウスを二階建にする際の下部側ハウスと上部側ハウスとの連結方法としては、例えば下部側ハウスの上部（四隅）と上部側ハウスの下部（四隅）に跨がって連結プレートをあてがい、その連結プレートを上下のハウス（例えば隅柱）にそれぞれボルト止め等の手段で固定することで行うことが多い。
【０００５】
ハウスの上面部（四隅付近）には、ハウスをクレーンで吊上げる際の吊上げロープ係止用の係止部材（例えばブラケット）が取付けられているが、この吊上げロープ係止部材はハウスを吊上げる際の専用部材である。
【０００６】
他方、ハウスを地面上に設置した状態では、ハウス下面の一部（４本の隅柱の各下端）が地面に接地するが、その接地部分（各隅柱の下端）には接地プレートを設けることが好ましい。尚、各隅柱下端に接地プレートを設けたハウスは従来から公知であるが、この公知のハウスに使用されている接地プレートは接地専用のものである。
【発明の概要】
【発明が解決しようとする課題】
【０００７】
ところで、複数のハウスを二階建にするには、上記のように下部側ハウスと上部側ハウスとを連結するための連結部材（例えば連結プレート）が必要である。
【０００８】
他方、ハウスの上面部（四隅付近）にある各吊上げロープ係止部材は、ハウス吊上げ専用のものであり、他の用途に使用されていない。
【０００９】
又、ハウスの下面部四隅にそれぞれ接地プレートを設けたものもあるが、この接地プレートも接地専用のもので、他の用途に使用されていない。
【００１０】
そこで、本願発明は、２戸のユニットハウスを二階建にする際に、それぞれハウス上面部にある吊上げロープ係止部材（４つある）とハウス下面部にある接地プレート（４つある）とを、上下のハウスを連結するための連結部材に兼用することにより、当該各部材を有効利用（部材点数を削減）できるようにすることを目的としてなされたものである。
【課題を解決するための手段】
【００１１】
本願発明は、上記課題を解決するための手段として次の構成を有している。尚、本願発明は、予め工場で組立てられた完成品状態（又はほぼ完成品状態）のユニットハウスを対象としている。又、本願発明の説明でも、ユニットハウスを単にハウスと表現することがある。
【００１２】
本願発明のユニットハウスは、予め組立てられたハウス本体の下面部四隅付近にそれぞれ接地台となるベースプレート（合計４枚）を取付けている一方、該ハウス本体の上面部四隅付近にそれぞれ吊上げロープの係止部となるトッププレート（合計４枚）を取付けて構成されている。
【００１３】
ハウス本体は、四隅の各隅柱（主柱となる）と、それぞれ複数本の間柱や補強フレームと、前後及び（又は）左右の各周壁と、床板と、天井板と、屋根板等を基本構成にして完成品状態（又はほぼ完成品状態）まで組立てられたものである。
【００１４】
ハウスの大きさは、トラック上に搭載して輸送できる程度の比較的小型のものであり、特に限定するものではないが、大きいものでも間口（又は奥行）が２.３ｍ、奥行（又は間口）が５〜６ｍ、高さが２.７ｍ程度である。尚、平面方向に一連の大面積居住空間を必要とする場合には、ハウス本体を平面方向に複数個並設するが、その場合、隣接する各ハウス本体の接合部分に壁の無いもの（いわゆる中抜きのもの）を使用する。
【００１５】
ハウスの下面部にある各ベースプレート、及びハウスの上面部にある各トッププレートのそれぞれ取付位置は、平面視におけるハウスの各隅部（四隅）付近が好ましい。その場合、各ベースプレート及び各トッププレートは、各隅柱の下面及び上面に取付けることができる。そして、各ベースプレート及び各トッププレートを各隅柱の下面及び上面に取付ける場合は、該各ベースプレート及び各トッププレートは、各隅柱の端面外形よりやや大きい面積を有した平板状のものを使用し、それぞれ一部が隅柱の側面からはみ出す状態で該隅柱の上端面及び下端面にそれぞれ水平姿勢で固定するとよい。尚、各ベースプレート及び各トッププレートは、各隅柱の下端面と上端面に溶接やボルト止め等の手段で固定することができる。
【００１６】
各ベースプレートと各トッププレートとは、平面視で同形の２戸のハウスを上下に積み重ねた状態で下部側のハウスの各トッププレートと上部側のハウスの各ベースプレートとがそれぞれ重合するように配置されている。即ち、１戸のハウスにおいて、下面部四隅付近の各ベースプレートと上面部四隅付近の各トッププレートとがそれぞれ相互に上下同位置に配置されていて、同形の２戸のハウスを上下に完全重合する状態で積み重ねたときに、下部側のハウスの各トッププレートと上部側のハウスの各ベースプレートとがそれぞれ平面姿勢で重合（接合）するようになっている。
【００１７】
又、上記各ベースプレートと上記各トッププレートには、両プレートが重合した状態で相互に連通するボルト挿通穴をそれぞれ設けている。このベースプレートとトッププレートの各ボルト挿通穴は、２戸のハウスを上下に完全重合させた状態で、ハウスの外部から各側のプレートの両ボルト挿通穴（重合している）に共通のボルトを挿通させ得るようになっており、該ボルトにナットを螺合することで両プレートを連結（固定）し得るようになっている。
【００１８】
本願発明のユニットハウスを２戸使用して二階建に連結するには次のように行う。まず、下部側ハウスの上面部四隅にある各トッププレート（各ボルト挿通穴）にそれぞれ吊上げロープの一端部を係止し、該各吊上げロープの他端部をクレーンのフックに係止して、クレーンによりハウスを吊上げて所定の設置場所に位置決めする。この場合、上面部四隅にある各トッププレートが吊上げロープの係止部材として機能する一方、設置状態では下面部四隅にある４つのベースプレートがそれぞれ接地して、該各ベースプレートが接地台として機能する。尚、下部側ハウスの設置後は各吊上げロープを各トッププレートから外す。
【００１９】
次に、上部側となる２戸目のハウスを同様にクレーンで吊上げて、該上部側ハウスを先に設置している下部側ハウスの上部に完全重合する状態で載せる。このとき、上部側ハウスの下面部四隅にある４つのベースプレートの各ボルト挿通穴を、下部側ハウスの上面部四隅にある４つのトッププレートの各ボルト挿通穴に対して上下に重合させる。
【００２０】
そして、上下に重合しているベースプレートとトッププレートの両ボルト挿通穴にボルトを挿通し、該ボルトにナットを螺合・緊締させることにより、両プレートを緊結する（順次四隅の両プレートを緊結する）。尚、ボルト・ナットによる両プレートの緊結作業は、例えば脚立に上って行うことができる。
【００２１】
尚、各階に一連の広い居住空間を必要とする場合は、１階部分及び２階部分にそれぞれ複数個（例えば２戸ずつ又は２戸ずつ）のハウス本体を並設すればよい。
【発明の効果】
【００２２】
本願発明のユニットハウスでは、上記のようにハウス本体の下面部四隅付近にある各ベースプレート（接地台として機能する）とハウス本体の上面部四隅付近にあるトッププレート（吊上げロープ係止部材として機能する）とを、それぞれ本来の機能（接地台、吊上げロープ係止部材）のほかに、２戸のハウスを上下に積み重ねたとき（二階建にしたとき）の両ハウスの連結部材として機能させることができる。
【００２３】
従って、本願発明のユニットハウスでは、上記の各ベースプレートと各トッププレートとをそれぞれ本来の機能（接地台、吊上げロープ係止部材）を維持させつつ、２戸のハウスを二階建にする場合の連結部材として有効利用できる（二階建にする場合の部品点数を削減できる）という効果がある。
【図面の簡単な説明】
【００２４】
【図１】本願実施例のユニットハウスを合計６戸使用して二階建に構築した状態の斜視図である。
【図２】２戸のハウスを二階建にする際の作業過程を示す斜視図である。
【図３】図２における上下のハウスの一部（右・前の隅柱付近の）拡大図である。
【図４】図１のIV部における間口側から見た拡大図である。
【図５】図４のＶ−Ｖ矢視断面図である。
【図６】図４のVI−VI矢視断面図である。
【発明を実施するための形態】
【実施例】
【００２５】
以下、図１〜図６を参照して本願実施例のユニットハウスを説明すると、この実施例のユニットハウスは、予め工場で組立てられた完成品状態（又はほぼ完成品状態）のものであって、例えば事務所、店舗、別棟の部屋、架設住宅等の比較的小型のハウスとして使用されるものである。
【００２６】
この実施例のハウス１は、図１及び図２に示すように、主柱となる四隅の各隅柱１１，１１・・と、それぞれ複数本の間柱や補強フレーム（２１，２２、３１，３２等）と、前後及び（又は）左右の各側壁と、床板と、天井板と、屋根板等を基本構成にして完成品状態（又はほぼ完成品状態）まで組立てられたものである。
【００２７】
１戸のハウス１の大きさは、トラック上に搭載して輸送できる程度の比較的小型のものであり、特に限定するものではないが、大きいものでも間口（又は奥行）が２.３ｍ、奥行（間口）が５〜６ｍ、高さが２.７ｍ程度である。そして、この実施例のハウス１は、予め工場で組立てた状態（完成品状態又はほぼ完成品状態）でトラックにより設置現場まで輸送し、そこでトラックからクレーンで吊り降ろして設置される。
【００２８】
又、この実施例のハウス１は、１戸のままで平置き状態で使用することもできるが、図１及び図２に示すように、２戸のハウス１，１を上下に積み重ねて（二階建にして）使用するのに適したものである。
【００２９】
尚、図１に示す実施例では、１階部分と２階部分にそれぞれ３戸ずつのハウス１，１，１を並設して、各階にそれぞれ３戸分の居住空間を形成したものを採用している。そして、図１に示す２階建ハウスでは、各階における平面方向に隣接する各ハウス１，１の接合部分は壁のないものが使用されている。
【００３０】
図１の各ハウス１，１・・において、各側壁にはそれぞれ窓１３が設けられている。又、１階及び２階の各１つのハウス１，１には、ドア（出入口）１２が設けられている。尚、２階部分のドア付きハウス１には、そのドア１２部分まで階段（図示省略）が設けられる。
【００３１】
この実施例のハウス１には、ハウス本体１０の下面部四隅にそれぞれ接地台となるベースプレート４，４・・を取付けている一方、ハウス本体１０の上面部四隅にそれぞれ吊上げロープ８（図２）の係止部となるトッププレート５，５・・を取付けている。尚、ハウス本体１０とは、本願のハウス１におけるベースプレート４とトッププレート５のない状態のものである。又、この実施例のハウス１において、符号２部分が奥行側となる側面部であり、符号３部分が間口となる前面部である。
【００３２】
尚、図３は図２におけるハウス１の左側面部２と前面部３との角部付近における骨組み部分の斜視図であり、図４は図１（二階建ハウス）のIV部分の間口側から見た拡大図であり、図５は図４のＶ−Ｖ矢視断面図であり、図６は図４のVI−VI矢視断面図であるが、この実施例の各ハウス１の四隅部分は、それぞれ図３〜図６に示す構造と同じである。そして、以下の説明では、本願の要部について図３〜図６に示す左・前角部付近の構成を代表にして説明する。
【００３３】
ベースプレート４とトッププレート５のそれぞれ取付位置は、平面視におけるハウスの各隅部（四隅）付近であればどこでもよいが、この実施例では、図３に拡大図示するように、各隅柱１１，１１・・の下端面１１ａと上端面１１ｂに取付けている。
【００３４】
ベースプレート４とトッププレート５は、図３に示すように、相互に同形で隅柱１１の端面外形よりやや大きい面積を有した平板状のものを使用している。そして、このベースプレート４とトッププレート５は、それぞれ一部（４ａ，５ａ）が隅柱１１の側面からはみ出す状態でそれぞれ水平姿勢で固定されている。ベースプレート４とトッププレート５の隅柱１１に対する各はみ出し部分４ａ，５ａは、図３〜図６に示すように隅柱１１の間口方向の内方側角端付近に存在するようにしている。この各はみ出し部分４ａ，５ａのはみ出し幅は、例えば５０〜６０mm程度でよい。尚、上下の各プレート４，５の取付状態では、該各プレートが、隅柱１１における外部に露出する側の各側面（前後及び左右の各外側に位置する側面）からほとんどはみ出さないようにしている。
【００３５】
各ベースプレート４と各トッププレート５は、この実施例では各隅柱１１の下端面１１ａと上端面１１ｂにそれぞれ溶接によって固定されているが、他の実施例では溶接に代えてボルト止め等の適宜の手段で固定することができる。
【００３６】
図１に示すように、同形の２戸のハウス１，１（平面方向に３組ある）を上下に積み重ねた状態（平面視で完全重合する状態）では、上下のハウス１，１における各隅柱１１，１１同士がそれぞれ上下同位置に重なる関係で、下部側のハウス１の各トッププレート５と上部側のハウス１の各ベースプレート４とが図４〜図５に示すようにそれぞれ重合するようになっている。
【００３７】
そして、各ベースプレート４と各トッププレート５には、両プレートが重合した状態で相互に連通するボルト挿通穴４１，５１をそれぞれ設けている。この各ボルト挿通穴４１，５１は、図３〜図６に示すように、各プレート４，５における隅柱１１の側面からはみ出した部分４ａ，５ａ（隅柱１１における間口側の内方側角端付近）の同位置に設けられており、２戸のハウス１，１を上下に完全重合させた状態で、後述するようにハウスの外部から各側のプレート４，５の両ボルト挿通穴４１，５１に共通のボルト６を挿通させ得るようになっている。
【００３８】
ところで、この実施例では、各プレート４，５におけるボルト挿通穴４１，５１が隅柱１１の内方側角端付近に位置している関係で、２戸のハウス１，１を上下に積み重ねた状態で上下に重合する各側のプレート４，５の各ボルト挿通穴４１，５１にボルト６を挿通させる（その後にナット７を螺合させる）のに、それらの作業スペースが必要となる。そこでこの実施例では、ボルト６（ナット７）の取付けのための作業スペースを確保するために、次のように構成している。
【００３９】
図２に示すように、ハウス１の左右各側面（例えば左側面部２）及び前後各面（例えば前面部３）における上辺部及び下辺部には、２本の隅柱１１，１１に跨がる長さの上部フレーム２１（又は３１）と下部フレーム２２（又は３２）が横向き姿勢でそれぞれ設置されている。
【００４０】
ハウス１の前面部３及び後面部において下部側に横設された下部フレーム３２は、図３〜図６に示すように断面コ形のフレームが使用されていて、前面側が開口する姿勢で取付けている。この下部フレーム（コ形フレーム）３２の前面開口部Ｓ（上板と底板３２ａとの間隔部分）は、上下に９０〜１００mm程度の間隔があって、該前面開口部Ｓに後述のボルト６を挿入し得るスペースを有している。
【００４１】
又、この下部フレーム（コ形フレーム）３２は、その底板３２ａ部分がベースプレート４のはみ出し部分４ａにあるボルト挿通穴４１上に載せらけている。そして、該下部フレーム（コ形フレーム）３２の底板３２ａには、ベースプレート４のボルト挿通穴４１と重合する穴３３が形成されている。この下部フレーム３２の穴３３には、前面開口部Ｓからボルト６を挿通させることができる。尚、図示していないが、ハウス１における後面部の各隅柱間の下部フレームも同構成となっている。
【００４２】
他方、前・後各面における上部側に横架された上部フレーム３１は、図３〜図５に示すように、隅柱１１の上端高さ（トッププレート５の下面高さ）よりやや低位置に設置されている。即ち、該上部フレーム３１は、図４及び図５に示すように、上部フレーム３１の上面とトッププレート５の下面と間に手を差込み得る程度の高さＨ（Ｈ＝７０〜８０mm）の隙間３０を有する状態で設置されている。尚、図示していないが、ハウス１における右側面部の各隅柱間の上部フレームも同様に取付けている（上部フレームの上方に手を差込む隙間がある）。
【００４３】
そして、この実施例のハウス１を使用して二階建に構築するには次のように行う。
【００４４】
各ハウス１は、組立工場で完成品（又はほぼ完成品）に組立てた状態で、それぞれトラックで設置現場まで輸送し、そこでトラック上の１戸のハウス（下部側ハウス）１をクレーンにより吊り降ろすが、そのとき、下部側ハウス１の上面部四隅にある各トッププレート５，５・・の各ボルト挿通穴５１，５１・・にそれぞれ吊上げロープ８，８・・（図２参照）の一端部を係止し、該各吊上げロープ８，８・・の他端部をクレーンのフック９に係止して、クレーンによりハウス１を吊上げて所定の設置場所に位置決めする。この場合、上面部四隅にある各トッププレート５，５・・（各ボルト挿通穴５１，５１・・）が吊上げロープ８の係止部材として機能する一方、設置状態では下面部四隅にある４つのベースプレート４，４・・がそれぞれ接地して、該各ベースプレート４，４・・が接地台として機能する。下部側ハウス１の設置後は各吊上げロープ８を各トッププレート５から外す。尚、図１に示すように、複数組の二階建ハウスを平面方向に並設するには、まず１階部分の各ハウス１，１，１を順次接合状態で設置する。
【００４５】
次に、図２に示すように上部側となる２戸目のハウス１を同様にクレーンで吊上げて、該上部側ハウス１（図２の鎖線図示）を先に設置している下部側ハウス１（実線図示）の上部に完全重合する状態で載せる。このとき、上部側ハウス１の下面部四隅にある４つのベースプレート４の各ボルト挿通穴４１を、下部側ハウス１の上面部四隅にある４つのトッププレート５の各ボルト挿通穴５１に対して上下に重合させる。
【００４６】
そして、上下に重合しているベースプレート４とトッププレート５の両ボルト挿通穴４１，５１にボルト６を挿通させるが、その際、図４及び図５に示すように上部側ハウス１の前面部３において下部フレーム（コ形フレーム）３２の前面開口部Ｓからボルト６を差し入れて該ボルト６のネジ部を下部フレーム底板３２ａの穴３３から両ボルト挿通穴４１，５１に差し込む。続いて、下部側ハウス１の前面部３において上部フレーム３１とトッププレート５との間にある隙間３０からナット７を差し入れて該ナット７を先に差し込んでいるボルト６のネジ部に下方から螺合・緊締させることにより、上下のプレート４，５を連結する。尚、ボルト・ナットによる両プレート４，５の緊結作業は、例えば脚立に上って行うことができる。
【００４７】
そして、順次同様に他の三隅の上下プレート４，５をボルト６とナット７で連結すると、上下のハウス１，１の連結作業が完了する。尚、図１のように、平面方向に複数戸の二階建ハウスを並設する場合は、二階側の各ハウスを各下側ハウスの上に順次同様に載置・連結する。
【００４８】
このように、この実施例のユニットハウス１では、上記のようにハウス本体１０の下面部四隅にある各ベースプレート４，４・・（接地台として機能する）とハウス本体１０の上面部四隅にある各トッププレート５，５・・（吊上げロープ係止部材として機能する）とを、それぞれ本来の機能（接地台、吊上げロープ係止部材）のほかに、２戸のハウス１，１を上下に積み重ねたとき（二階建にしたとき）の両ハウスの連結部材として機能させることができる。
【００４９】
従って、上記の各ベースプレート４，４・・と各トッププレート５，５・・とをそれぞれ本来の機能（接地台、吊上げロープ係止部材）を維持させつつ、２戸のハウス１，１を二階建にする場合の連結部材として有効利用できる。
【符号の説明】
【００５０】
１はハウス（ユニットハウス）、２は側面部、３は前面部、４はベースプレート、５はトッププレート、６はボルト、７はナット、８は吊上げロープ、１１は隅柱、４１はベースプレートのボルト挿通穴、５１はトッププレートのボルト挿通穴である。
【図１】
2012007350.tif 000003
【図２】
2012007350.tif 000004
【図３】
2012007350.tif 000005
【図４】
2012007350.tif 000006
【図５】
2012007350.tif 000007
【図６】
2012007350.tif 000008